(57)【要約】【課題】一部が欠けた画像が変更されずに継続して表示される状況を解消可能な技術を提供する。【解決手段】表示システムは、第１画像情報に基づく第１画像光を投射面に投射するプロジェクターと、前記第１画像光が通る経路に人が存在するか否かを検出する検出装置と、前記検出装置が前記経路に人が存在することを検出する場合、前記プロジェクターに、前記第１画像光の代わりに、前記第１画像情報とは異なる第２画像情報に基づく第２画像光を投射させる制御装置と、を含む。【選択図】図３
2020067638.tif 000002
【特許請求の範囲】
【請求項１】
第１画像情報に基づく第１画像光を投射面に投射するプロジェクターと、
前記第１画像光が通る経路に人が存在するか否かを検出する検出装置と、
前記検出装置が前記経路に人が存在することを検出する場合、前記プロジェクターに、前記第１画像光の代わりに、前記第１画像情報とは異なる第２画像情報に基づく第２画像光を投射させる制御装置と、
を含む表示システム。
【請求項２】
前記第２画像光は、第１部分と、前記第１部分よりも暗い第２部分と、を有し、
前記制御装置は、前記第１部分が前記経路に存在する人に投射されずに前記第２部分が前記経路に存在する人に投射されるように、前記プロジェクターを制御する、
請求項１に記載の表示システム。
【請求項３】
前記第１部分は、文字を含む領域を表し、
前記第２部分は、文字を含まない領域を表す、
請求項２に記載の表示システム。
【請求項４】
前記検出装置は、前記検出装置にて検出される人と前記投射面との間の距離を、さらに検出し、
前記制御装置は、前記第２画像光が前記投射面に表す画像の面積に対する、前記第２部分が前記投射面に表す画像の面積の割合を、前記距離が短いほど高くする、
請求項２または３に記載の表示システム。
【請求項５】
前記検出装置は、前記検出装置にて検出される人の身長を、さらに検出し、
前記制御装置は、前記第２画像光が前記投射面に表す画像の面積に対する、前記第２部分が前記投射面に表す画像の面積の割合を、前記身長が高いほど高くする、
請求項２または３に記載の表示システム。
【請求項６】
第１画像情報に基づく第１画像光を投射面に投射する投射部と、
前記第１画像光が通る経路に人が存在するか否かを検出する検出部と、
前記経路に人が存在することを検出する場合、前記投射部に、前記第１画像光の代わりに、前記第１画像情報とは異なる第２画像情報に基づく第２画像光を投射させる制御部と、
を含む表示装置。
【請求項７】
前記第２画像光は、第１部分と、前記第１部分よりも暗い第２部分と、を有し、
前記制御部は、前記第１部分が前記経路に存在する人に投射されずに前記第２部分が前記経路に存在する人に投射されるように、前記投射部を制御する、
請求項６に記載の表示装置。
【請求項８】
前記第１部分は、文字を含む領域を表し、
前記第２部分は、文字を含まない領域を表す、
請求項７に記載の表示装置。
【請求項９】
前記検出部は、前記検出部にて検出される人と前記投射面との間の距離を、さらに検出し、
前記制御部は、前記第２画像光が前記投射面に表す画像の面積に対する、前記第２部分が前記投射面に表す画像の面積の割合を、前記距離が短いほど高くする、
請求項７または８に記載の表示装置。
【請求項１０】
前記検出部は、前記検出部にて検出される人の身長を、さらに検出し、
前記制御部は、前記第２画像光が前記投射面に表す画像の面積に対する、前記第２部分が前記投射面に表す画像の面積の割合を、前記身長が高いほど高くする、
請求項７または８に記載の表示装置。
【請求項１１】
第１画像情報に基づく第１画像光を投射面に投射し、
前記第１画像光が通る経路に人が存在するか否かを検出し、
前記経路に人が存在することを検出する場合、前記第１画像光の代わりに、前記第１画像情報とは異なる第２画像情報に基づく第２画像光を投射する、
表示装置の制御方法。
【請求項１２】
前記第２画像光は、第１部分と、前記第１部分よりも暗い第２部分と、を有し、
前記第１部分を前記経路に存在する人に投射せずに前記第２部分を前記経路に存在する人に投射する、
請求項１１に記載の表示装置の制御方法。
【請求項１３】
前記第１部分は、文字を含む領域を表し、
前記第２部分は、文字を含まない領域を表す、
請求項１２に記載の表示装置の制御方法。
【請求項１４】
前記経路に存在する人と前記投射面との間の距離を検出し、
前記第２画像光が前記投射面に表す画像の面積に対する、前記第２部分が前記投射面に表す画像の面積の割合を、前記距離が短いほど高くする、
請求項１２または１３に記載の表示装置の制御方法。
【請求項１５】
前記経路に存在する人の身長を検出し、
前記第２画像光が前記投射面に表す画像の面積に対する、前記第２部分が前記投射面に表す画像の面積の割合を、前記身長が高いほど高くする、
請求項１２または１３に記載の表示装置の制御方法。
【発明の詳細な説明】
【技術分野】
【０００１】
本発明は、表示システム、表示装置および表示装置の制御方法に関する。
【背景技術】
【０００２】
公共施設等の人の往来がある場所で、プロジェクターを用いて、広告等に関する画像光を投射面に投射するデジタルサイネージシステムが知られている（特許文献１参照）。
【先行技術文献】
【特許文献】
【０００３】
【特許文献１】特開２０１４−１８２３３２号公報
【発明の概要】
【発明が解決しようとする課題】
【０００４】
特許文献１に記載のようなシステムでは、プロジェクターから投射される画像光が通る経路に人が存在すると、画像光の少なくとも一部が人によって遮られて投射面に到達しなくなる。このため、投射面上の画像は、少なくとも一部が欠けた画像になる。このような少なくとも一部が欠けた画像が変更されずに継続して表示される状況は好ましくない。
【課題を解決するための手段】
【０００５】
本発明に係る表示システムの一態様は、第１画像情報に基づく第１画像光を投射面に投射するプロジェクターと、前記第１画像光が通る経路に人が存在するか否かを検出する検出装置と、前記検出装置が前記経路に人が存在することを検出する場合、前記プロジェクターに、前記第１画像光の代わりに、前記第１画像情報とは異なる第２画像情報に基づく第２画像光を投射させる制御装置と、を含む。
【０００６】
本発明に係る表示装置の一態様は、第１画像情報に基づく第１画像光を投射面に投射する投射部と、前記第１画像光が通る経路に人が存在するか否かを検出する検出部と、前記経路に人が存在する場合、前記投射部に、前記第１画像光の代わりに、前記第１画像情報とは異なる第２画像情報に基づく第２画像光を投射させる制御部と、を含む。
【０００７】
本発明に係る表示装置の制御方法の一態様は、第１画像情報に基づく第１画像光を投射面に投射し、前記第１画像光が通る経路に人が存在するか否かを検出し、前記経路に人が存在する場合、前記第１画像光の代わりに、前記第１画像情報とは異なる第２画像情報に基づく第２画像光を投射する。
【図面の簡単な説明】
【０００８】
【図１】第１実施形態に係る表示システム１の一例を示す図である。
【図２】検出装置２０を説明するための図である。
【図３】プロジェクター１０と制御装置３０の構成例を示す図である。
【図４】投射部１２の一例を示す図である。
【図５】表示システム１の動作を説明するためのフローチャートである。
【図６】第１画像Ｇ１の一例を示す図である。
【図７】第２画像Ｇ２の一例を示す図である。
【図８】距離検出装置２０Ａの一例を示す図である。
【図９】画像Ｇ３の一例を示す図である。
【図１０】画像Ｇ４の一例を示す図である。
【図１１】画像Ｇ５の一例を示す図である。
【図１２】身長検出装置２０Ｂの一例を示す図である。
【発明を実施するための形態】
【０００９】
＜Ａ：第１実施形態＞
＜Ａ１：表示システム１の概要＞
図１は、第１実施形態に係る表示システム１の一例を示す図である。
表示システム１は、店舗等において、広告等の画像を表示面に表示するデジタルサイネージシステムである。なお、表示システム１は、デジタルサイネージシステムに限らず、画像を表示面に投射して表示する投射システムであればよい。
【００１０】
表示システム１は、プロジェクター１０と検出装置２０と制御装置３０とを含む。
プロジェクター１０は、広告等に関する画像光を投射面４０に投射することによって、画像光に応じた画像Ｇを投射面４０に表示する。プロジェクター１０は、天井から吊るされており、斜め下に向けて画像光を投射する。なお、プロジェクター１０は、天井から吊るされる態様に限らない。投射面４０は、表示面の一例であり、例えば、壁またはスクリーンである。図１には、画像光が通る経路Ｌ１が示されている。
【００１１】
検出装置２０は、経路Ｌ１に人が存在するか否かを検出する。図１には、検出装置２０の一例として、床５０に敷かれているマット状の圧力センサーが示されている。
検出装置２０は、床５０のうち、投射面４０よりもプロジェクター１０側に位置する領域であって、投射面４０との距離が所定距離Ｄ１以下となる領域に敷かれている。
検出装置２０の上に人が位置する場合、検出装置２０は、経路Ｌ１に人が存在することを検出する。一方、検出装置２０の上に人が位置しない場合、検出装置２０は、経路Ｌ１に人が存在しないことを検出する。すなわち、検出装置２０は、投射面４０とプロジェクター１０との間に存在する人であって、投射面４０からの距離が所定距離Ｄ１以下となる人を、経路Ｌ１に存在する人として検出する。
【００１２】
所定距離Ｄ１の一例としては、図２に例示されるように、所定の身長Ｈ１の人Ｎ１が直立している状態で経路Ｌ１に接する位置から、投射面４０までの距離が挙げられる。
所定の身長Ｈ１としては、例えば、分別が未熟な子供の最大の身長と考えられる１３０ｃｍが挙げられる。分別がある人であれば、意図的に経路Ｌ１に侵入することは少ないと考えられるが、分別が未熟な子供の場合、意図的に経路Ｌ１に侵入する可能性は高いと考えられる。
なお、分別の有無を身長で正確に判断することは難しく、また、無意識で経路Ｌ１に侵入する人も考えられるため、所定の身長Ｈ１は、１３０ｃｍに限らず１３０ｃｍより高くてもよいし低くてもよい。
【００１３】
検出装置２０は、マット状の圧力センサーに限らない。例えば、検出装置２０として、経路Ｌ１を検出領域とする人体センサーが用いられてもよいし、経路Ｌ１を撮影領域とするカメラを備える人体検出装置が用いられてもよい。カメラを備える人体検出装置は、例えば、カメラの撮像結果に基づいて、経路Ｌ１に人が存在するか否かを検出する。
【００１４】
制御装置３０は、プロジェクター１０を制御する。例えば、制御装置３０は、検出装置２０による検出の結果に基づいて、プロジェクター１０から投射される画像光を切り換える。制御装置３０は、例えば、ＰＣ（Personal Computer）である。なお、制御装置３０は、ＰＣに限らない。例えば、制御装置３０として、専用の情報処理装置等が用いられてもよい。
【００１５】
＜Ａ２：プロジェクター１０と制御装置３０の構成例＞
図３は、プロジェクター１０と制御装置３０の構成例を示す図である。プロジェクター１０は、画像処理部１１と投射部１２とを含む。制御装置３０は、記憶部３１と制御部３２とを含む。
【００１６】
画像処理部１１は、例えば、ＣＰＵ（Central Processing Unit）等のコンピューターである。画像処理部１１は、１または複数の処理装置で構成されてもよい。画像処理部１１は、例えば、ＣＰＵの代わりに、または、ＣＰＵに加えて、ＦＰＧＡ（field programmable gate array）またはＡＳＩＣ（Application Specific IC）等の電子回路で構成されてもよい。
画像処理部１１は、画像を示す画像情報に対して画像処理を施して画像信号を生成する。画像処理部１１が施す画像処理は、例えば、解像度変換処理を包含する。解像度変換処理では、画像処理部１１は、画像情報の解像度を、投射部１２が対応可能な解像度、具体的には後述する液晶ライトバルブ１２３の解像度に変換する。画像処理部１１は、解像度変換処理に加えて、または、解像度変換処理に代えて、他の画像処理、例えば、いわゆるガンマ補正処理を実行してもよい。
【００１７】
投射部１２は、画像処理部１１が生成する画像信号に基づく画像光を投射面４０に投射して当該画像光に応じた画像を投射面４０に表示する。
【００１８】
記憶部３１は、コンピューター読み取り可能な記録媒体である。記憶部３１は、例えば、ＲＯＭ（Read Only Memory）およびＲＡＭ（Random access memory）を含む。記憶部３１は、種々の情報と、制御部３２が実行するプログラムとを記憶する。
【００１９】
制御部３２は、例えば、ＣＰＵ等のコンピューターである。制御部３２は、１または複数のプロセッサーで構成されてもよい。制御部３２は、例えば、ＣＰＵの代わりに、または、ＣＰＵに加えて、ＦＰＧＡまたはＡＳＩＣ等の電子回路で構成されてもよい。制御部３２は、記憶部３１に記憶されているプログラムを読み取り実行することによって、プロジェクター１０を制御する。
【００２０】
＜Ａ３：投射部１２の構成例＞
図４は、投射部１２の一例を示す図である。投射部１２は、ライトバルブ駆動部１２１と、光源１２２と、赤色用液晶ライトバルブ１２３Ｒと、緑色用液晶ライトバルブ１２３Ｇと、青色用液晶ライトバルブ１２３Ｂと、投射光学系１２４と、を含む。以下、赤色用液晶ライトバルブ１２３Ｒと、緑色用液晶ライトバルブ１２３Ｇと、青色用液晶ライトバルブ１２３Ｂとを相互に区別する必要がない場合、これらを「液晶ライトバルブ１２３」と称する。
【００２１】
ライトバルブ駆動部１２１は、画像処理部１１が生成する画像信号に基づいて液晶ライトバルブ１２３を駆動する。
【００２２】
光源１２２は、キセノンランプ、超高圧水銀ランプ、ＬＥＤ（Light Emitting Diode）、またはレーザー光源等である。光源１２２から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１２３Ｒに入射する。緑色の色光成分は緑色用液晶ライトバルブ１２３Ｇに入射する。青色の色光成分は青色用液晶ライトバルブ１２３Ｂに入射する。
【００２３】
液晶ライトバルブ１２３は、一対の透明基板間に液晶が存在する液晶パネル等によって構成される。液晶ライトバルブ１２３は、マトリクス状に位置する複数の画素１２３ｐを含む矩形の画素領域１２３ａを有する。液晶ライトバルブ１２３では、液晶に対して画素１２３ｐごとに駆動電圧が印加される。ライトバルブ駆動部１２１が、画像信号に基づく駆動電圧を各画素１２３ｐに印加すると、各画素１２３ｐは、駆動電圧に基づく光透過率に設定される。このため、光源１２２から射出される光は、画素領域１２３ａを通ることで変調され、画像信号に基づく単一色画像光が色光ごとに形成される。
【００２４】
各色の単一色画像光は、図示しない色合成光学系によって画素１２３ｐごとに合成され、カラー画像である画像光が生成される。画像光は、投射光学系１２４によって投射面４０に投射される。
【００２５】
＜Ａ４：表示システム１の動作＞
図５は、表示システム１の動作を説明するためのフローチャートである。
ステップＳ１において制御装置３０は、プロジェクター１０に、第１画像光を投射面４０に投射させる。以下、ステップＳ１の一例を説明する。
【００２６】
制御部３２は、第１画像光にて示される第１画像Ｇ１を表す第１画像情報を、画像処理部１１に提供する。本実施形態では、第１画像情報は、記憶部３１に予め記憶されており、制御部３２は、記憶部３１から第１画像情報を読み取り、記憶部３１から読み取られた第１画像情報を画像処理部１１に提供する。なお、第１画像情報は、制御部３２によって生成されてもよいし、他の装置から制御装置３０に供給されてもよい。
画像処理部１１は、制御部３２から提供される第１画像情報に対して画像処理を施して第１画像信号を生成する。投射部１２は、第１画像信号に基づく第１画像光、つまり、第１画像情報に基づく第１画像光を、投射面４０に投射して、第１画像Ｇ１を投射面４０に表示する。
【００２７】
図６は、第１画像Ｇ１の一例を示す図である。図６に示される第１画像Ｇ１では、床５０からの距離がＨ１以内の範囲に文字列Ｃ１の一部が存在する。このため、経路Ｌ１に人が存在すると、文字列Ｃ１の一部が、経路Ｌ１に存在する人によって遮られて投射面４０に到達しなくなり、文字列Ｃ１の判別が困難になる可能性がある。
【００２８】
図５に戻って、続いて、ステップＳ２において検出装置２０が経路Ｌ１に存在する人を検出すると、ステップＳ３において制御装置３０は、プロジェクター１０に、第１画像光に代わりに、第２画像光を投射させる。以下、ステップＳ３の一例を説明する。
【００２９】
制御部３２は、検出装置２０が経路Ｌ１に存在する人を検出すると、第１画像情報とは異なる第２画像情報を、第１画像情報の代わりに、画像処理部１１に提供する。本実施形態では、第２画像情報は、記憶部３１に予め記憶されており、制御部３２は、記憶部３１から第２画像情報を読み取り、記憶部３１から読み取られた第２画像情報を、第１画像情報に代えて画像処理部１１に提供する。なお、第２画像情報は、制御部３２によって生成されてもよいし、他の装置から制御装置３０に供給されてもよい。
【００３０】
画像処理部１１は、制御部３２から提供される第２画像情報に対して画像処理を施して第２画像信号を生成する。投射部１２は、第２画像信号に基づく第２画像光、つまり、第２画像情報に基づく第２画像光を、投射面４０に投射して第２画像Ｇ２を投射面４０に表示する。
【００３１】
このように、経路Ｌ１に人が存在する場合、第１画像光の代わりに第２画像光が投射されるので、経路Ｌ１に存在する人によって少なくとも一部が欠けた第１画像Ｇ１が変更されずに継続して表示されることを抑制できる。
【００３２】
図７は、第２画像Ｇ２の一例を示す図である。図７に示される第２画像Ｇ２は、第１領域Ｇ２１と、第１領域Ｇ２１よりも下に位置する第２領域Ｇ２２とを有する。以下、第２画像光のうち、第１領域Ｇ２１を示す部分を「第１部分」と称し、第２領域Ｇ２２を示す部分を「第２部分」と称する。
【００３３】
第２領域Ｇ２２は、第２画像Ｇ２のうち、床５０からの距離がＨ１未満である範囲であり、第１領域Ｇ２１は、第２画像Ｇ２のうち、床５０からの距離がＨ１以上である範囲である。
このため、経路Ｌ１に身長Ｈ１未満の人が存在する場合、第１領域Ｇ２１を示す第１部分は、経路Ｌ１に存在する身長Ｈ１未満の人に投射されず、第２領域Ｇ２２を示す第２部分は、経路Ｌ１に存在する身長Ｈ１未満の人に投射される。
換言すると、制御装置３０は、第１部分が経路Ｌ１に存在する人に投射されずに第２部分が経路Ｌ１に存在する人に投射されるように、プロジェクター１０を制御する。
ここで、第２部分は、第１部分よりも暗い。このため、経路Ｌ１に存在する人を、第１部分で照射する場合に比べて、第２部分で照射する方が、経路Ｌ１に存在する人に与える不快感を少なくできる。
なお、第２部分が第１部分よりも暗いとは、例えば、第２部分の平均の明るさが、第１部分の平均の明るさよりも暗いことを意味する。第２部分にて表される第２領域Ｇ２２は、例えば、黒色でもよいし、黒色でなくてもよい。
【００３４】
また、第２画像Ｇ２においては、第１領域Ｇ２１に文字列Ｃ２が含まれるが、第２領域Ｇ２２にはいかなる文字列も含まれない。このため、経路Ｌ１に身長Ｈ１未満の人が存在しても、第２画像Ｇ２に含まれる文字列Ｃ２を、欠けることなく表示し続けることができる。よって、表示システム１による映像広告が有効に機能し、店舗は表示システム１を導入し易くなる。
【００３５】
図５に戻って、第２画像光が投射された後に、ステップＳ４において検出装置２０が経路Ｌ１に存在する人を検出すると、ステップＳ５において制御装置３０は、プロジェクター１０に、第２画像光の投射を維持させる。例えば、ステップＳ５において制御部３２は、第２画像情報の画像処理部１１への提供を維持する。その後、処理は、ステップＳ４に戻る。
【００３６】
一方、ステップＳ４において検出装置２０が経路Ｌ１に人が存在しないことを検出すると、ステップＳ６において制御装置３０は、プロジェクター１０に、第２画像光の代わりに、第１画像光を投射させる。例えば、制御部３２は、検出装置２０が経路Ｌ１に人が存在しないことを検出すると、第１画像情報を、第２画像情報の代わりに、画像処理部１１に提供する。画像処理部１１は、制御部３２から提供される第１画像情報に対して画像処理を施して第１画像信号を生成する。投射部１２は、第１画像信号に基づく第１画像光を、投射面４０に投射して第１画像Ｇ１を表示する。
【００３７】
このため、経路Ｌ１に人が存在しなくなると、第２画像光を第１画像光に自動的に切り換えることができる。また、第１画像Ｇ１には、第２領域Ｇ２２が設けられていないので、経路Ｌ１に人が存在しない場合には、プロジェクター１０の投射画像の全面つまり第１画像Ｇ１の全面を使って広告を表示することが可能になる。
【００３８】
＜Ｂ：変形例＞
第１実施形態において、例えば以下に例示する構成が採用されてもよい。
【００３９】
＜Ｂ１：変形例１＞
第１実施形態において、検出装置２０は、検出装置２０にて検出される人と投射面４０との間の距離をさらに検出してもよい。例えば、検出装置２０として、図８に例示されるような、第１圧力センサー２０Ａ１と第２圧力センサー２０Ａ２と第３圧力センサー２０Ａ３とを有する距離検出装置２０Ａが用いられてもよい。
【００４０】
第１圧力センサー２０Ａ１と第２圧力センサー２０Ａ２と第３圧力センサー２０Ａ３との各々から、投射面４０までの距離は、第１圧力センサー２０Ａ１、第２圧力センサー２０Ａ２、第３圧力センサー２０Ａ３の順に長くなる。以下、第１圧力センサー２０Ａ１と第２圧力センサー２０Ａ２と第３圧力センサー２０Ａ３との各々から、投射面４０までの距離を、それぞれ、距離Ｄａ１、距離Ｄａ２、距離Ｄａ３とする。ここで、距離Ｄａ１＜距離Ｄａ２＜距離Ｄａ３の関係が成り立つとする。
【００４１】
第１圧力センサー２０Ａ１の上に人が存在する場合、距離検出装置２０Ａは、経路Ｌ１に存在する人が、投射面４０から距離Ｄａ１の位置に存在することを検出する。
また、第２圧力センサー２０Ａ２の上に人が存在する場合、距離検出装置２０Ａは、経路Ｌ１に存在する人が、投射面４０から距離Ｄａ２の位置に存在することを検出する。
同様に、第３圧力センサー２０Ａ３の上に人が存在する場合、距離検出装置２０Ａは、経路Ｌ１に存在する人が、投射面４０から距離Ｄａ３の位置に存在することを検出する。
なお、第１圧力センサー２０Ａ１と第２圧力センサー２０Ａ２と第３圧力センサー２０Ａ３のうち複数の圧力センサーの上に人が存在する場合、制御装置３０の制御部３２は、人が存在する複数の圧力センサーの中で投射面４０からの距離が最も短い圧力センサーの上に人が存在すると判断する。
【００４２】
検出装置２０にて検出される人と投射面４０との間の距離が検出される場合、制御装置３０、具体的には制御部３２は、第２画像光が投射面４０に表す第２画像Ｇ２の面積に対する、第２画像光の第２部分が投射面４０に表す第２領域２２の面積の割合を、距離検出装置２０Ａによって検出される人と投射面４０との間の距離が短いほど高くしてもよい。以下、距離検出装置２０Ａによって検出される人と投射面４０との間の距離を「離間距離」と称する。
例えば、制御部３２は、離間距離が距離Ｄａ３である場合、第２画像情報として、図９に例示される画像Ｇ３を示す画像情報を画像処理部１１に提供し、離間距離が距離Ｄａ２である場合、第２画像情報として、図１０に例示される画像Ｇ４を示す画像情報を画像処理部１１に提供し、離間距離が距離Ｄａ１である場合、第２画像情報として、図１１に例示される画像Ｇ５を示す画像情報を画像処理部１１に提供する。
ここで、画像Ｇ３における画像Ｇ３の面積に対する第２領域Ｇ２２の面積の割合＜画像Ｇ４における画像Ｇ４の面積に対する第２領域Ｇ２２の面積の割合＜画像Ｇ５における画像Ｇ５の面積に対する第２領域Ｇ２２の面積の割合、という関係が満たされている。
このように、経路Ｌ１に存在する人が投射面４０に近づくほど、画像情報が示す画像の面積に対する第２領域Ｇ２２の面積の割合が高くなる。よって、経路Ｌ１に存在する人が投射面４０に近づいても、第１領域Ｇ２１に表される文字列Ｃ２等の情報を当該人が隠してしまう可能性を低くできる。
【００４３】
なお、変形例１において、離間距離の検出手法および第１領域Ｇ２１に表される画像は変更可能である。また、変形例１では、第１領域Ｇ２１と第２領域Ｇ２２とを有する３つの画像を、離間距離に応じて切り換えているが、第１領域Ｇ２１と第２領域Ｇ２２とを有する２つの画像、または、第１領域Ｇ２１と第２領域Ｇ２２とを有する４つ以上の画像を、離間距離に応じて切り換えてもよい。
【００４４】
＜Ｂ２：変形例２＞
第１実施形態において、検出装置２０は、検出装置２０にて検出される人の身長をさらに検出してもよい。例えば、検出装置２０として、図１２に例示されるような、身長検出装置２０Ｂが用いられてもよい。
【００４５】
図１２に例示される身長検出装置２０Ｂは、プロジェクター１０に設けられており、赤外線カメラ２０Ｂ１と判定部２０Ｂ２とを備える。赤外線カメラ２０Ｂ１は、投射面４０を撮像する。判定部２０Ｂ２は、赤外線カメラ２０Ｂ１の撮像結果に基づいて、経路Ｌ１に存在する人および当該人の身長を検出する。
【００４６】
この場合、制御装置３０は、第２画像光が投射面４０に表す第２画像Ｇ２の面積に対する、第２部分が投射面４０に表す第２領域２２の面積の割合を、身長検出装置２０Ｂによって検出される人の身長が高いほど高くしてもよい。以下、説明の都合上、身長Ｈ３＜身長Ｈ２＜身長Ｈ１、という関係が成り立っているとする。
【００４７】
例えば、制御部３２は、身長検出装置２０Ｂが検出した身長が、身長Ｈ３未満である場合、第２画像情報として、図９に例示される画像Ｇ３を示す画像情報を画像処理部１１に提供し、身長検出装置２０Ｂが検出した身長が、身長Ｈ３以上身長Ｈ２未満である場合、第２画像情報として、図１０に例示される画像Ｇ４を示す画像情報を画像処理部１１に提供する。また、身長検出装置２０Ｂが検出した身長が、身長Ｈ２以上身長Ｈ１未満である場合、制御部３２は、第２画像情報として、図１１に例示される画像Ｇ５を示す画像情報を画像処理部１１に提供する。
変形例２では、経路Ｌ１に存在する人の身長が高いほど、画像情報が示す画像の面積に対する第２領域Ｇ２２の面積の割合が高くなる。よって、経路Ｌ１に存在する人の身長が高くても、第１領域Ｇ２１に表される文字列Ｃ２等の情報を当該人が隠してしまう可能性を低くできる。
【００４８】
なお、変形例２において、身長の検出手法および第１領域Ｇ２１に表される画像は変更可能である。また、変形例２では、第１領域Ｇ２１と第２領域Ｇ２２とを有する３つの画像を、身長検出装置２０Ｂが検出した身長に応じて切り換えているが、第１領域Ｇ２１と第２領域Ｇ２２とを有する２つの画像、または、第１領域Ｇ２１と第２領域Ｇ２２とを有する４つ以上の画像を、身長検出装置２０Ｂが検出した身長に応じて切り換えてもよい。
【００４９】
＜Ｂ３：変形例３＞
第１実施形態および変形例１〜変形例２において、制御装置３０は、プロジェクター１０に内蔵されてもよい。ここで、変形例２において制御装置３０がプロジェクター１０に内蔵される場合、身長検出装置２０Ｂは検出部の一例を構成し、制御装置３０は制御部の一例を構成し、プロジェクター１０が表示装置の一例を構成し、プロジェクター１０の制御方法が表示装置の制御方法の一例を構成する。
【００５０】
＜Ｂ４：変形例４＞
第１実施形態および変形例１〜変形例３において、第１画像情報と第２画像情報とを、利用者が事前に選択して設定してもよいし、制御部３２が、複数の画像情報の中から、画像情報が示す画像の輝度分布に基づいて、第１画像情報と第２画像情報とを自動的に選択してもよい。
例えば、制御部３２は、複数の画像情報の中から、第２領域Ｇ２２が存在する画像を示す画像情報を、第２画像情報として選択し、第２領域Ｇ２２が存在しない画像を示す画像情報を、第１画像情報として選択する。制御部３２が第１画像情報と第２画像情報とを自動的に選択する場合、利用者が第１画像情報と第２画像情報とを選択する負担を軽減できる。
【００５１】
＜Ｂ５：変形例５＞
第１実施形態および変形例１〜変形例４において、光変調装置の一例として液晶ライトバルブ１２３が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１２２が発した光を変調可能な構成は、光変調装置として採用できる。
【００５２】
＜Ｂ６：変形例６＞
プロジェクター１０から投射される画像光が通る経路Ｌ１に、障害物が存在しても、投射面４０上の画像は、少なくとも一部が欠けた画像になる。このため、第１実施形態および変形例１〜変形例５において、検出装置２０は、移動する障害物を、人の代わりに、または、人と共に検出してもよい。変形例６によれば、経路Ｌ１に障害物が存在する場合、第１画像光の代わりに第２画像光が投射されるので、経路Ｌ１に存在する障害物によって少なくとも一部が欠けた第１画像Ｇ１が変更されずに継続して表示されることを抑制できる。
【符号の説明】
【００５３】
１…表示システム、１０…プロジェクター、１１…画像処理部、１２…投射部、２０…検出装置、３０…制御装置、３１…記憶部、３２…制御部。
【図１】
2020067638.tif 000003
【図２】
2020067638.tif 000004
【図３】
2020067638.tif 000005
【図４】
2020067638.tif 000006
【図５】
2020067638.tif 000007
【図６】
2020067638.tif 000008
【図７】
2020067638.tif 000009
【図８】
2020067638.tif 000010
【図９】
2020067638.tif 000011
【図１０】
2020067638.tif 000012
【図１１】
2020067638.tif 000013
【図１２】
2020067638.tif 000014